(57)【要約】【課題】従業員向けの報知機能と遊技者向けの表示機能とを兼ね備えた汎用性のある遊技場用表示装置を提供する。【解決手段】島端表示装置７は、ＬＥＤ報知部３２を液晶表示部３１に対して回動させることで、表示画面３１ａの表示角度を任意の角度へと調整可能となり、汎用性に富む構成となる。この場合、ＬＥＤ報知部３２は取付フレーム３５により遊技島１１に固定的に設置されることから、液晶表示部３１の角度を調整しても従来の所謂代表ランプと同様に固定的な配置となり、従業員がその報知を見逃す虞を低減できる。【選択図】図５
2015208530.tif 000002
【特許請求の範囲】
【請求項１】
複数の遊技機が設置される遊技機島に、複数の遊技機に対応させて設けられる遊技場の従業員向けの報知を行う報知手段を備えた遊技場用表示装置であって、
前記報知手段を設けた報知部と、
前記報知部に設けられ、前記遊技島へと前記報知部を取付けるための基礎取付手段と、
遊技者向けの情報を表示する表示手段を設けた表示部と、
前記表示部を前記報知部に対して回動可能とする回動手段と、を備えたことを特徴とする遊技場用表示装置。
【請求項２】
前記表示部を前記報知部へと取付けるために前記報知部に設けられる報知部取付手段と、
前記表示部を前記報知部へと取付けるために前記表示部に設けられる表示部取付手段と、を備え、
前記報知部と前記表示部とは分離可能であり、
前記報知部取付手段と前記表示部取付手段との少なくとも一方は、他方に対応させて、第１取付手段と第２取付手段とを含んで構成され、
そのいずれかを他方へと取付けることにより前記表示部と前記報知部とを接合可能であると共に、
前記第１取付手段を他方へと取付けた第１取付態様と、前記第２取付手段を他方へと取付けた第２取付態様とで、前記報知部と前記表示部との上下方向の関係が異なるように構成されることで、前記表示部と前記報知部との配置関係を選択可能であることを特徴とする請求項１に記載した遊技場用表示装置。
【請求項３】
前記報知手段は、点灯、或いは点滅することで従業員向けの報知状態となり、
前記表示手段は、画像により遊技者向けの表示を行い、
前記表示部取付手段は、前記表示部の左右に対応させて設けられ、その一方が前記第１取付手段であると共に、そのもう一方が前記第２取付手段であり、
前記第１取付態様と、前記第２取付態様とで、前記表示部の上下方向が同一である一方、前記報知部の上下方向が異なるように構成されることで、前記報知部に対して前記表示部を右側に配置するのか、左側に配置するのかを選択可能とすることを特徴とする請求項２に記載した遊技場用表示装置。
【請求項４】
前記回動手段は、前記報知部に設けられ、
前記報知部取付手段は、前記回動手段を介して前記報知部に設けられ、
前記報知部取付手段を前記回動手段により回動させることにより、前記表示部を前記報知部に対して回動可能とすることを特徴とする請求項２又は３に記載した遊技場用表示装置。
【請求項５】
前記報知手段は、点灯、或いは点滅することで従業員向けの報知状態となり、
前記表示手段は、画像、或いは文字情報により遊技者向けの表示を行うと共に、前記報知手段が前記報知状態となった場合に、その報知状態の補助表示を行うことを特徴とする請求項１から４の何れか一項に記載した遊技場用表示装置。
【請求項６】
表示手段は、表示領域を第１表示領域と、第２表示領域とに区分可能であり、第１表示領域にて前記補助表示を行っている際に、第２表示領域にて遊技者向けの表示を行うことを特徴とする請求項５に記載した遊技場用表示装置。
【発明の詳細な説明】
【技術分野】
【０００１】
本発明は、複数の遊技機が設置された遊技島に設けられる遊技場用表示装置に関する。
【背景技術】
【０００２】
パチンコ遊技機等の遊技機が設けられる遊技場では、複数の遊技機が設置される遊技島の島端に表示ランプ等の島端報知機を設け、遊技機を遊技する遊技者が従業員を呼出す際等に、遊技機周辺に設けられる所謂呼出ランプの呼出釦を押下することで、その呼出ランプだけでなく島端報知機をも呼出状態として従業員への報知を行っている。また、例えば特許文献１では、データ表示を行う島端表示機を島端に設ける提案がなされている。
【先行技術文献】
【特許文献】
【０００３】
【特許文献１】特開平１０−２３４９９８号公報
【発明の概要】
【発明が解決しようとする課題】
【０００４】
特許文献１の島端表示機によれば、遊技を行っていない遊技者（遊技候補者）等にも遊技情報を提供可能となり非常に有意であるが、当該文献１では島端報知機が何ら考慮されておらず、島端報知機と別体に島端表示機を設けると、コスト的にも設置スペース的にも問題が生じ得る。また、例えば特許文献１の図３に示される島端表示機は、遊技島に対して傾斜角度を設けているが、このような構成では非常に大掛かりとなり汎用性に欠け、実用化も難しい。
【０００５】
本発明は、上記した事情に鑑みてなされたものであり、その目的は、従業員向けの報知機能と遊技者向けの表示機能とを兼ね備えた汎用性のある遊技場用表示装置を提供することにある。
【課題を解決するための手段】
【０００６】
本発明の遊技場用表示装置は、複数の遊技機が設置される遊技機島に、複数の遊技機に対応させて設けられる遊技場の従業員向けの報知を行う報知手段を備えたものであり、前記報知手段を設けた報知部と、前記報知部に設けられ、前記遊技島へと前記報知部を取付けるための基礎取付手段と、遊技者向けの情報を表示する表示手段を設けた表示部と、
前記表示部を前記報知部に対して回動可能とする回動手段と、を備える（請求項１）。
【０００７】
請求項１記載の遊技場用表示装置において、
前記表示部を前記報知部へと取付けるために前記報知部に設けられる報知部取付手段と、前記表示部を前記報知部へと取付けるために前記表示部に設けられる表示部取付手段と、を備え、前記報知部と前記表示部とは分離可能であり、前記報知部取付手段と前記表示部取付手段との少なくとも一方は、他方に対応させて、第１取付手段と第２取付手段とを含んで構成され、そのいずれかを他方へと取付けることにより前記表示部と前記報知部とを接合可能であると共に、前記第１取付手段を他方へと取付けた第１取付態様と、前記第２取付手段を他方へと取付けた第２取付態様とで、前記報知部と前記表示部との上下方向の関係が異なるように構成されることで、前記表示部と前記報知部との配置関係を選択可能としてもよい（請求項２）。
【０００８】
請求項２記載の遊技場用表示装置において、
前記報知手段は、点灯、或いは点滅することで従業員向けの報知状態となり、前記表示手段は、画像により遊技者向けの表示を行い、前記表示部取付手段は、前記表示部の左右に対応させて設けられ、その一方が前記第１取付手段であると共に、そのもう一方が前記第２取付手段であり、前記第１取付態様と、前記第２取付態様とで、前記表示部の上下方向が同一である一方、前記報知部の上下方向が異なるように構成されることで、前記報知部に対して前記表示部を右側に配置するのか、左側に配置するのかを選択可能としてもよい（請求項３）。
【０００９】
請求項２又は３記載の遊技場用表示装置において、
前記回動手段は、前記報知部に設けられ、前記報知部取付手段は、前記回動手段を介して前記報知部に設けられ、前記報知部取付手段を前記回動手段により回動させることにより、前記表示部を前記報知部に対して回動可能としてもよい（請求項４）。
【００１０】
請求項１から４の何れか一項記載の遊技場用表示装置において、
前記報知手段は、点灯、或いは点滅することで従業員向けの報知状態となり、前記表示手段は、画像、或いは文字情報により遊技者向けの表示を行うと共に、前記報知手段が前記報知状態となった場合に、その報知状態の補助表示を行うようにしてもよい（請求項５）。
【００１１】
請求項５記載の遊技場用表示装置において、
表示手段は、表示領域を第１表示領域と、第２表示領域とに区分可能であり、第１表示領域にて前記補助表示を行っている際に、第２表示領域にて遊技者向けの表示を行うようにしてもよい（請求項６）。
【発明の効果】
【００１２】
請求項１の発明によれば、報知部を表示部に対して回動させることで、表示手段の表示角度を任意の角度へと調整可能となり、任意の角度に応じた表示手段を複数設けることなく、表示手段を適当な角度へと調整可能な汎用性に富む構成となる。この場合、報知部は基礎取付手段により遊技島に固定的に設置されることから、表示部の角度を調整しても従来の所謂代表ランプと同様に固定的な配置となり、従業員がその報知を見逃す虞を低減できる。
【００１３】
請求項２の発明によれば、第１取付手段と第２取付手段とを設け、その一方を他方の取付手段へと取付けることで表示部と報知部との対応関係を変更可能となり、例えば遊技島の両面に遊技機が配置される場合に、一方の面への対応向きと他方の面への対応向きとでは報知部と表示部との対応関係が異なることが望ましいが、各面に対応するそれぞれの遊技情報表示装置を別途設けなくとも、１製品にて両面への対応が可能となる
このような請求項２の構成とした場合、第１取付態様と第２取付態様とを比較すると、表示部と報知部とのいずれか一方の上下方向が入替るが、この場合、点灯や点滅を行う報知部の上下を取付態様に応じて入替えても大きな影響が出ない一方、表示手段により表示される画像は表示部の上下が入替れば反転させる等の設定を行う必要が生じる等の不都合が生ずる。これに対して、請求項３の発明によれば、このような不都合が生ずる虞を軽減できる。 
【００１４】
請求項４の発明によれば、回動手段を基礎取付手段により遊技島に取付けられる報知部に設けたため、より安定的な表示部の回動が可能となる。
請求項５の発明によれば、報知手段が報知状態となった場合に、表示手段により補助表示を行うため、従来の代表ランプでは点灯や点滅だけでイベントの発生を把握していた従業員が、補助表示により詳細な状態を確認した上でイベントに対応可能となる。
【００１５】
請求項６の発明によれば、第１表示領域にて補助表示を行っていても、第２表示領域にて遊技者向けの表示を行うため、イベントの発生の有無による遊技者の違和感を低減させられる。
【図面の簡単な説明】
【００１６】
【図１】本発明の一実施形態を示す全体構成図
【図２】遊技島における情報表示装置の配置例を示すイメージ図
【図３】情報表示装置における表示部の表示例を示す図
【図４】情報表示装置の正面図及び平面図
【図５】第１取付態様で組付ける場合の説明図
【図６】第２取付態様における図５相当図
【図７】第１取付態様での表示部の配置と回動範囲を表わす斜視図
【図８】第２取付態様における図７相当図
【発明を実施するための形態】
【００１７】
以下、本発明の一実施形態について図面を参照して説明する。図１は、遊技情報表示システムの全体構成を示す概略図である。遊技場内には、多数の遊技機１が設置されており、各遊技機１に１対１で対応する対応する周辺機器として、遊技装置２及び表示装置３が設置されている。これら遊技機１、遊技装置２及び表示装置３は、中継装置４に接続されている。この場合、２台の遊技機１、２台の遊技装置２及び２台の表示装置３は、１台の中継装置４で中継されており、中継装置４は、ＬＡＮ５を介して管理装置６及び島端表示装置７に接続されている。
【００１８】
管理装置６は、遊技場内の例えば事務室等に設置されており、遊技場の管理者が操作するキーボード６ａ、モニタ６ｂ、図示しないプリンタ等を備えて構成されている。管理装置６は、上記した遊技機１、遊技装置２、表示装置３等（これらを遊技機側の機器とする）の状況を管理する。これら遊技機側からの出力は、中継装置４による何れの遊技機側から出力された信号であるかを識別可能な識別信号（機器ＩＤ）を含む。
【００１９】
こうして、管理装置６は、遊技機側からの信号に基づいて、遊技機１を含む各機器の状況や、遊技者毎の遊技価値の大きさ（持玉・貯玉（会員の場合））を記憶管理する。また、詳しくは後述するように、島端表示装置７（遊技場用表示装置）は、遊技機側から各種信号が入力されることで、各機器の状態を遊技機１単位で識別して特定し、遊技情報等の各種情報を表示するようになっている。尚、遊技場内には、所謂パチスロ機も含めて例えば数百台の遊技機１が設置されており、それぞれ管理装置６の管理対象或いは島端表示装置７の特定・表示対象となっている。
【００２０】
遊技機１として図１に示すＣＲ（カードリーダ）パチンコ機は、盤面１３に玉を発射する発射装置を構成する操作ハンドル１４、上部受皿１５、下部受皿１６を有すると共に、盤面１３に、液晶表示部１７、普図入賞口１８、第１始動口１９、第２始動口２０、大入賞口２１を有する。この遊技機１は、以下に示すように動作する。
【００２１】
（１）第１始動口１９は入賞率が変動しない入賞口（所謂ヘソ入賞口）であり、第２始動口２０は入賞率が変動する入賞口（所謂電チュー）である。各始動口１９，２０への入賞（始動入賞）に応じて大当り抽選を行い、抽選結果を液晶表示部１７にて行う図柄変動にて報知し、その変動結果に応じて大当りとなる。
【００２２】
（２）図柄変動中に始動入賞した場合には所定の保留上限値（例えば各４つ）まで図柄変動を累積的に保留し、図柄変動終了後に保留している図柄変動を開始する。尚、保留している図柄変動数（保留数）が上限値である状態で始動入賞した場合、図柄変動は保留されない。
【００２３】
（３）大当り抽選の当選確率（大当り確率）は１／３６０であり、大当りがその後確変状態（確変）となる大当り（確変大当り）となる割合である確変率は（通常状態、確変状態共に）６６．６％である。大当りが発生すると１５ラウンド（Ｒ）分だけ大入賞口２１を開放する。１Ｒの上限入賞数は１０玉であり、上限開放時間は３０秒であり、上限入賞数又は上限開放時間の何れかが満たされた場合に１Ｒを終了する。
【００２４】
（４）確変中は大当り確率が１／３１に向上すると共に、第２始動口２０への入賞率が高くなる時短状態（時短）になる。尚、確変は次回大当りまで継続するので、大当り後に大当りでも確変でもない状態である通常遊技状態（通常状態）となる大当り（通常大当り）が発生するまで継続し、その後は所定数（例えば１００回）の図柄変動を行うまで時短状態となり、その後に通常状態となる。
【００２５】
（５）第２始動口２０は普図入賞口１８への入賞に応じて変動する普通図柄（普図）が当りとなった場合に入賞率の高い開放状態となる。この場合、普図１回の変動時間は通常状態では３０秒であり、時短状態では３秒となる。又、開放時間は通常状態では０．３秒であり、時短状態では５秒となる。即ち、時短状態では通常状態と比較して普図変動時間が短くなる一方、開放時間は長くなることで第２始動口２０の入賞率が高くなる。
【００２６】
遊技装置２は、遊技装置２の状態等を示す状態表示部２２、紙幣（貨幣）の投入を受け付ける紙幣投入口２３、遊技者からの操作入力を受付けると共に遊技の進行に伴って図柄変動回数（スタート回数）や大当り確率等の遊技データを表示するタッチパネル式の液晶表示部２４、持玉及び貯玉を払出すための払出釦２５、払出された玉が通過する払出ノズル２６、一般カード（ＩＣカード）１０や会員カード（図示略）が挿入されるカード挿入口２７を備えている。遊技装置２は、所謂各台計数機能付の貸出機として構成されており、遊技機１の下部受皿１６の下方に位置する着脱可能な計数受皿２８等を備えている。また、遊技装置２は、カード挿入口２７に対して複数（例えば１０枚）の一般カード１０がストック可能に挿入される。
【００２７】
上記した遊技機側からは以下の遊技信号が出力される。
アウト信号＝消費玉を回収するアウトＢＯＸから出力される消費価値（アウト）を特定可能な信号（稼働信号）である。消費（使用、打込、回収）玉１０玉に対して１パルスが出力されるので、「アウト信号数×１０」をアウトとして特定する。尚、遊技機１から出力される信号でも良い。
【００２８】
セーフ信号＝遊技機１から出力される入賞付与価値（セーフ）を特定可能な信号である。払出１０玉に対して１パルスが出力されるので、「セーフ信号数×１０」をセーフとして特定する。尚、補給装置から出力される補給信号をセーフ信号としても良い。
【００２９】
始動信号＝遊技機１から出力される始動入賞により変動（作動）する液晶表示部１７におけるスタート処理（図柄変動、役物作動、単位遊技）を特定可能な信号である。図柄変動確定時に出力され、信号入力に応じて図柄変動を特定するので、「始動信号数×１」をスタート回数として特定する。尚、始動口１９，２０に入賞したことを示す信号としても良い。尚、アウト信号やセーフ信号も同様であるが、始動信号等の入力から所定期間を稼働状態として特定するため、アウト信号同様に、セーフ信号も含め稼働状態を特定可能な稼働信号となる。
【００３０】
大当り信号＝遊技機１から出力される大当り期間を特定可能な信号である。大当り状態中にレベル出力される状態信号であるので、大当り信号の入力中を大当り状態中として特定する。
【００３１】
特別状態信号＝遊技機１から出力される特別状態（甘中）を特定可能な信号である。第２始動口２０の入賞率が向上する特別状態中（時短中）にレベル出力される状態信号であるので、特別状態信号の入力中を特別状態中として特定する。また、大当り信号と特別状態信号の何れも入力していない期間を通常状態として特定する。
【００３２】
尚、遊技機側からは、上記した遊技信号の他、売上げを特定可能な売上信号や、遊技機側の異常状態の検出信号等が出力され、例えば遊技機側で玉詰まり等の異常が検出されると、その検出信号（異常信号）が出力される。
【００３３】
表示装置３は、データ表示部３ａ及び複数の操作スイッチ部３ｂ、並びにリモコン受光部３ｃを備える。データ表示部３ａには、遊技機１から表示装置３に入力される信号に基づき集計した遊技情報等、各種の情報が表示される。複数の操作スイッチ部３ｂは、データ表示部３ａの表示内容を切替えたり、遊技者が遊技場の従業員を呼出すため等に操作される。また、従業員が携帯するリモコン１２によって、後述する空台信号等の種々の信号が、表示装置３のリモコン受光部３ｃに向けて送信される。リモコン１２は、例えば表示装置３用及び島端表示装置７用として兼用され、島端表示装置７のリモコン受光部（図示略）に向けた信号の送信が可能とされているが、それぞれ別個のリモコンを用いる構成としてもよい。
【００３４】
さて、遊技場内には、遊技島１１毎に複数（例えば４０台）の遊技機１が設置されており、各遊技機島１１の島端には島端表示装置７が設けられている。本実施形態では、図２に例示するように遊技島１１の島端を入口側とし、且つ同図の矢印方向に見た側を正面とした場合、遊技島１１における右側の２０台の遊技機１に対応する島端表示装置７Ｒと、左側の２０台の遊技機１に対応する島端表示装置７Ｌとが、当該遊技島１１上部に取付けられるものとする。
【００３５】
また、本実施形態の島端表示装置７Ｒと島端表示装置７Ｌ（これらを島端表示装置７と総称する）は、何れも構成物品を同じくし、その組付態様（後述の第１取付態様と第２取付態様）が異なる構成にある。そこで、以下では説明の便宜上、島端表示装置７Ｒを主として説明する。
図４（ａ）及び（ｂ）は、島端表示装置７Ｒの正面図及び平面図を示している。同図に示すように、島端表示装置７Ｒは、遊技場の従業員向けの報知を行うためのＬＥＤ報知部３２（報知部）と、遊技者向けの情報を表示するための液晶表示部３１（表示部）とを備える。
【００３６】
ＬＥＤ報知部３２は、その枠体３３における上枠３３ａと下枠３３ｂとの間に、透明樹脂製のケース体３４を備え、全体として縦長な直方体状をなしている。ケース体３４内には、枠体３３における縦枠３３ｃ（図２参照）に沿って上下方向に並べて配置されたＬＥＤ群が収容されている。ＬＥＤ群は例えば、遊技島１１における右側の２０台の遊技機１に対応する２０個のＬＥＤからなる。これらＬＥＤの配列について、図４（ｂ）では説明の便宜上「１，２，３，…，１８，１９，２０」の数字で示している。当該ＬＥＤは、例えば何れの光源（発光体）も発光色の可変可能なフルカラーＬＥＤ（多色ＬＥＤ）で構成されている。このように、ＬＥＤ報知部３２では、視野角が広い（略３６０度）報知手段としてＬＥＤを用い、その点灯或いは点滅により従業員向けの報知状態となる。
【００３７】
ＬＥＤ報知部３２の外郭は、図４で左側部分の縦枠３３ｃ並びに上下の枠３３ａ，３３ｂ以外の部分をケース体３４とし、そのケース体３４の横断面が「コ」字状をなす。即ち、ＬＥＤ報知部３２において、透明なケース体３４は、その前面３４ａ側と側面３４ｂ側（図５参照）、そして後面（背面側）３４ｃ側をも囲う形状とする。このため、図４（ａ）に示すように、ＬＥＤ報知部３２を遊技島１１の角部１１ａから張出すように設ければ、ＬＥＤ群の視認可能な範囲を可及的に拡げることができる。
【００３８】
ＬＥＤ報知部３２の後面側には、縦枠３３ｃと一体をなす取付フレーム３５（基礎取付手段）が設けられている。取付フレーム３５は、縦枠３３ｃの後面において左側に位置し、上下方向に延びる長尺な板状をなしている。取付フレーム３５には、その板厚方向に貫通する取付孔３５ａが上方から下方にわたって複数設けられている。ＬＥＤ報知部３２（島端表示装置７Ｒ）は、遊技島１１に対して、図２や図４（ａ）に示すように位置合せをした上で、取付孔３５ａに挿通されるネジ（図示略）により取付け固定される。
【００３９】
そして、ＬＥＤ報知部３２の縦枠３３ｃには、液晶表示部３１を回動可能に支持する回動手段としての回動軸部材３７が配設されている。図４（ｂ）に示すように、回動軸部材３７は、上枠３３ａ左側の取付凹部３９ａと下枠３３ｂ左側の取付凹部３９ｂとの間にわたって上下方向に延びる棒状をなす。回動軸部材３７は、上下の取付凹部３９ａ，３９ｂにて中心軸線Ｃの周りに回動可能に支持されている。回動軸部材３７の上端には、中心軸線Ｃと直交する方向に延びる取付アーム３７ａが設けられ、下端には、当該取付アーム３７ａと同じ方向に延びる取付アーム３７ｂが設けられている。取付アーム３７ａ，３７ｂは、何れも幅狭な板状或いは延出片状をなし、それぞれ板厚方向に貫通する貫通孔３８，３８（図５参照）が形成されている。
【００４０】
前記液晶表示部３１は、後述する取付穴４９Ｒａ，４９Ｒｂに取付アーム３７ａ，３７ｂが挿入された状態で、それぞれの貫通孔３８，３８に挿通されるネジ４０，４０により取付けられるようになっている。こうして、取付アーム３７ａ，３７ｂは、回動軸部材３７を介してＬＥＤ報知部３２に設けられた報知部取付手段を構成する。
【００４１】
取付アーム３７ａ，３７ｂ（或いは回動軸部材３７）は、その回動時に枠体３３の取付凹部３９ａ，３９ａで係止されることで回動範囲が規制される。この場合、図４（ａ）にαで示す取付アーム３７ａ，３７ｂの回動範囲は、例えば液晶表示部３１の表示画面３１ａが正面を向く正面位置（図７（ａ）参照）と、表示画面３１ａが例えば９０度横を向く側面位置（図７（ｃ）参照）との間で回動するように設定されている。尚、島端表示装置７Ｒは、液晶表示部３１の正面位置で、当該表示部３１の前面とＬＥＤ報知部３２の前面とが揃い、液晶表示部３１の側面位置で、当該表示部３１の後面とＬＥＤ報知部３２の左側面とが揃う。これにより、外観意匠性に優れたものとなる。尚、液晶表示部３１の回動範囲αは９０度に限らず、適宜変更してもよい。
【００４２】
液晶表示部３１は、その枠体５０の前面側に表示画面３１ａを備え、全体として縦長な矩形板状をなしている。表示画面３１ａは、例えばフルカラー表示が可能で且つ上下方向に延びる縦型の液晶ディスプレイからなる。表示画面３１ａは、図３に示すように遊技者向けの各種情報を表示する表示手段である。また、液晶表示部３１は、表示画面３１ａの前面側にタッチパネル３１ｂを備えるタッチパネル式のものである。
【００４３】
図４（ａ）に示すように、液晶表示部３１全体の高さ（つまり枠体５０の高さ）は、ＬＥＤ報知部３２全体の高さ（つまり枠体３３の高さ）と同じ寸法になるように設定されている。液晶表示部３１の枠体５０において、表示画面３１ａを囲う枠部分５１は、上枠５１ａ、下枠５１ｂ、右枠５１ｃ及び左枠５１ｄからなる縦長な矩形枠状をなしている。枠部分５１の左右の両側部には、取付アーム３７ａ，３７ｂと対応する位置に取付穴４９Ｒａ，４９Ｒｂ、４９Ｌａ，４９Ｌｂが設けられている。取付アーム３７ａ，３７ｂは、右側の取付穴４９Ｒａ，４９Ｒｂと左側の取付穴４９Ｌａ，４９Ｌｂとに選択可能に挿入される。
【００４４】
即ち、枠部分５１の右枠５１ｃには、上端つまり上枠５１ａ寄りの部位に取付穴４９Ｒａが形成され、下端つまり下枠５１ｂ寄りの部位に取付穴４９Ｒｂが形成されている。これら取付穴４９Ｒａ，４９Ｒｂは何れも右端側が開放され、上枠５１ａ或いは下枠５１ｂに沿って左右方向へ延びている。これと同様に、枠部分５１の左枠５１ｄにも、上端側に取付穴４９Ｌａが形成され、下端側に取付穴４９Ｌｂが形成されている。これら取付穴４９Ｌａ，４９Ｌｂは、何れも左端側が開放され、左右方向へ延びている。これら４つの取付穴４９Ｒａ〜４９Ｌｂは、枠部分５１において相互に左右対称且つ上下対称をなすように形成されている。尚、液晶表示部３１で表示される画像、或いは枠体３３における枠部分５１以外の部分は上下非対称である（図３或いは図４（ａ）参照）。
【００４５】
詳しくは後述するが、右側の取付穴４９Ｒａ，４９Ｒｂは、ＬＥＤ報知部３２に対して液晶表示部３１を左側に配置する第１取付態様で組付ける場合、つまり島端表示装置７Ｒとして用いる際に使用される（図５参照）。一方、左側の取付穴４９Ｌａ，４９Ｌｂは、ＬＥＤ報知部３２に対して液晶表示部３１を右側に配置する第２取付態様で組付ける場合、つまり島端表示装置７Ｌとして用いる際に使用される（図６参照）。
【００４６】
上枠５１ａ及び下枠５１ｂには、取付穴４９Ｒａ〜４９Ｌｂに夫々対応する位置にネジ４０用の穴部（図４（ａ）に上枠５１ａの一対の穴部５５のみ図示）が設けられている。ここで、液晶表示部３１をＬＥＤ報知部３２へ第１取付態様で組付ける際、上側の取付穴４９Ｒａに取付アーム３７ａが挿入されると共に、下側の取付穴４９Ｒｂに取付アーム３７ｂが挿入される。この挿入状態で、取付アーム３７ａ，３７ｂの貫通孔３８，３８に挿通されたネジ４０，４０が穴部５５，５５に螺挿される。これにより、液晶表示部３１は、ＬＥＤ報知部３２に対し、取付穴４９Ｒａ，４９Ｒｂにて取付アーム３７ａ，３７ｂと接合した状態で取付けられ、中心軸線Ｃの周りに回動する。上記した取付穴４９Ｒａ〜４９Ｌｂ、ネジ４０及び穴部５５は、液晶表示部３１における表示部取付手段を構成し、そのうち右側の取付穴４９Ｒａ，４９Ｒｂ、ネジ４０及び穴部５５を第１取付手段、左側の取付穴４９Ｌａ，４９Ｌｂ、ネジ４０及び穴部５５を第２取付手段とする。また、上記した報知部取付手段及び表示部取付手段は、ＬＥＤ報知部３２と液晶表示部３１とを分離可能に接合する取付手段である。
【００４７】
図示は省略するが、島端表示装置７Ｒは、マイクロコンピュータを主体に構成された制御部を内蔵する。島端表示装置７Ｒの制御部は、ＬＥＤ報知部３２の報知制御手段並びに液晶表示部３１の表示制御手段として構成され、上記したＬＥＤ報知部３２の報知状態で、液晶表示部３１で当該報知状態の補助表示を行うようになっている。また、制御部は、表示画面３１ａの表示領域を、遊技島１１の遊技機１の配置に対応付けて区分すると共に、その区分した一の表示領域（分割領域）にて、該当する遊技機１に係る情報の画像を表示する（図３（ａ）〜（ｃ）参照）。以下、液晶表示部３１の表示画面３１ａに表示される各画像について説明する。
【００４８】
図３（ａ）は、表示画面３１ａにおける機種名表示画像を示している。機種名表示画像では、「機種名」、「種別」、「タイプ」、「設置台数」、及び「遊技場からのお知らせ」の各表示６０ａ、６０ｂ、６０ｃ、６０ｄ、６０ｆがなされる。「機種名」の表示６０ａは、遊技島１１に導入されている遊技機１の機種名であり、「種別」の表示６０ｂは、貸単価の種別、或いは遊技玉やメダルの種別を表す。「タイプ」の表示６０ｃは、所謂ＭＡＸタイプ、ミドルタイプといったスペックや大当り確率等を表し、「設置台数」の表示６０ｄは、当該遊技島１１における遊技機１の設置台数を表す。「遊技場からのお知らせ」の表示６０ｆは、例えば新台を入れ替える予定がある等、遊技場からのお知らせがある場合、その旨（近日新台入替）を遊技者に知らせるものである。既に遊技島１１に新台が導入されている場合、該当する機種が「新台」であることを表わす表示６０ｅが付加される。
【００４９】
尚、島端表示装置７Ｒは、その表示内容や設定を行うための設定手段（操作入力部）が設けられており、種別、タイプや、各種の設定等の変更が可能であるが、管理装置６にて操作入力された情報を受信して設定するようにしても良い。また、上記のように、遊技島１１に複数の機種が導入されている場合、その機種毎に表示領域が区分される。具体的には例えば、遊技島１１右側の２０台の遊技機１は、遊技島１１の奥方から順に機種Ａの１０台と、機種Ｂの５台と、機種Ｃの５台とが並ぶ配置にある旨を示す。この場合、機種名表示画像では、機種Ａ〜Ｃの配置に対応させて、上側から順に機種毎の表示を当該機種Ａ〜Ｃの割合（台数）に応じて区分線Ｌにより区分した表示領域に表示する。このように、機種名表示画像では、遊技島１１における遊技機１の位置関係と機種毎の設置台数の割合に合わせて区分される。機種名表示画像は、表示画面３１ａにおける通常時の待機表示画像として表示される。
【００５０】
島端表示装置７Ｒは、例えばタッチパネル３１ｂのタッチ操作がなされた場合、或いは当該装置７Ｒの内蔵する人感センサ（図示略）により遊技者を検出した場合、図３（ｂ）に示す台データ一覧画像を表示する。台データ一覧画像の表示領域についても、遊技島１１の遊技機１の配置に対応付けて区分線Ｌで区分しており、遊技島１１奥方から手前側までの遊技機１のデータを、当該表示領域の上方から下方にわたって表示する。この表示領域には例えば、遊技機１毎に割り当てられた４桁の台番の表示６１ａと、その遊技機１の機種名の表示６１ｂと、ゲージの表示６１ｃと、稼働状態の表示６１ｄとがなされる。このうち、稼働状態の表示６１ｄは、「空台」や「特賞中」（特賞は大当りを示す）等、現在の遊技機１の状態を表わす。また、ゲージの表示６１ｃは、「大当回数」等を表す計数データ項目を含み、表示対象の上限を示す基準値を超えた場合に「ＯＶＥＲ」の文字情報や矢印等の図表が付される。尚、「空台」は、遊技場の従業員がリモコン１２操作により、前記表示装置３のリモコン受光部３ｃに向けて送信すると、その信号を島端表示装置７Ｒにおいて該当する遊技機１の空台として特定される。
【００５１】
図３（ｃ）は、遊技場の従業員による前記リモコン１２操作により表示されるカードストック画像を示している。カードストック画像は、各遊技装置２に対応付けて区分された分割領域に、各遊技装置２の一般カード１０のストック枚数を表す。各分割領域には、対応する遊技機１の台番の表示６２ａと、稼働状態の表示６２ｂと、遊技装置２のストック枚数の表示６２ｃとがなされる。台番や稼働状態の表示６２ａ，６２ｂは、台データ一覧画面等と同様に、台データ一覧画像と同様に表示される。ストック枚数の表示６２ｃは、各遊技装置２での一般カード１０の残枚数を数字と図で表示する。こうして、一の島端表示装置７Ｒで、遊技島１１における一般カード１０の残枚数を視認でき、従業員の作業負担が軽減される。また、カードストック画像の分割領域の区分とＬＥＤ報知部３２のＬＥＤの配列とが対応するため、一般カード１０の残枚数が不足、或いは過剰している旨を残枚数とその基準値とを比較することで特定し、その旨を分割領域の表示と併せて、該当するＬＥＤの点灯、或いは点滅により報知するようにしてもよい。尚、カードストック画像は、リモコン操作の無い状態で継続して所定時間（例えば１０秒）表示されたとき、又は画面タッチがなされたとき遷移前の画像に復帰する。
【００５２】
島端表示装置７Ｒでは、遊技機側からの入力信号等に基づき、所定の事象つまりイベント（処理要求）があると判断した場合、イベント画像に遷移する。図３（ｄ）に示すように、イベント画像の表示領域は、機種名表示画像の表示６０ａ〜６０ｅの横方向の表示倍率を縮小して、左側のヴィジュアル表示領域６３ａと、上側の経過時間表示領域６３ｂと、下側のイベント内容表示領域６３ｃとを設けてなり、図３（ａ）同様に遊技者向けの表示を行いつつも遊技場の従業員に対する報知の補助表示も行っている。尚、ヴィジュアル表示領域６３ａは、ＬＥＤ報知部３２側つまり右側に寄せるように、イベント画像の右側領域への表示切替えが可能に設定しても良い。
【００５３】
島端表示装置７Ｒは、ヴィジュアル表示領域６３ａを台データ一覧画像等と同様に遊技島１１における遊技機１の設置台数に応じて区分し、係る遊技機側の状態を遊技機１毎の表示領域で表示する。図３（ｄ）の例では、ヴィジュアル表示領域６３ａで台番「１０２４」〜「１０３９」を表示しているが、例えば図示しないスクロールキーの操作により（或いはイベント内容表示領域６３ｃを非表示として）、２０台分の台番「１０２４」〜「１０４３」が表示される。ヴィジュアル表示領域６３ａでは例えば、前記イベントとして呼出、点検、不正、サービス呼出が発生した場合、該当する分割領域にてイベントの種類毎に異なる表示態様（例えば呼出は緑、点検は黄、不正は赤のような色分け等）で表示する。これらのイベントは、遊技機側からの出力信号（前記異常信号等を含む）に基づき島端表示装置７Ｒにより特定されるものであり、「呼出」は、表示装置３の操作スイッチ部３ｂの操作による従業員の呼出、「不正」は、遊技機側に対する各種の不正行為、「点検」は予め設定された点検項目に対応する。
【００５４】
ヴィジュアル表示領域６３ａでは、遊技島１１でイベントが複数発生したとき、その対応順を従業員が識別できるように、イベントの発生順に該当する分割領域に番号を表示する。図３（ｄ）では、「１０２５」「１０３１」「１０３６」の台番の遊技機１について、夫々同一のイベント（例えば（呼出））があり、その呼出が「１０３６」「１０３１」「１０２５」の順に発生した場合の表示例を示している。このように、イベントの発生した台番に対応する分割領域に呼出順の番号が表示されると共に、これら３つの分割領域の背景画像が、いずれも呼出に対応した同じ色（例えば緑）で表示され、他の分割領域の背景画像の色と異ならせる。これにより、従業員は、表示色の緑で呼出がなされていること、並びに「１」〜「３」の数字により「１０３６」「１０３１」「１０２５」の順で対応することを一目で視認できる。また、例えば「１０３６」の台番で呼出と点検の表示要求がなされた場合、ヴィジュアル表示領域６３ａでは、予め設定されたイベント表示の優先順位（例えば不正＞呼出＞点検）に従い「呼出」に対応した色で表示される。
【００５５】
経過時間表示領域６３ｂには、上記したイベントが発生してからの経過時間が表示される。遊技島１１でイベントが複数発生したとき、経過時間表示領域６３ｂには、最初に発生したイベントの経過時間が表示される。イベント内容表示領域６３ｃは、遊技島１１において発生した呼出、点検、不正の詳細を文字情報等で表示する。尚、表示内容はリモコン１２の操作や画面タッチ等の操作により優先順位に従って対象となる台番（イベント）が切替り、操作がない場合は最も優先順位の高い台番が表示対象となる。図３（ｄ）のイベント内容表示領域６３ｃでは、「呼出」の詳細について、該当する「台番」、経過時間、周辺機器の状態の表示例を示している。上記のように「１０３６」の台番で呼出と点検の表示要求がなされた場合、図３（ｄ）のように「呼出詳細６３ｃ」として併発している点検内容（例えば貸出機たる遊技装置２の点検項目として「カード詰りも発生しています」）を表示する。
【００５６】
一方、ＬＥＤ報知部３２は、前記画像の分割領域と同様、遊技島１１奥方の遊技機１から順に、上端のＬＥＤから下端のＬＥＤが台番にそれぞれ対応付けられている。ＬＥＤ報知部３２は、遊技島１１でイベントが発生した場合、イベント毎に予め設定された報知態様で報知する。このときのＬＥＤの発光色は、対応するヴィジュアル表示領域６３ａの分割領域と同じ色、つまり呼出は緑、点検は黄、不正は赤というように、イベントに応じて異なる色で点灯する。また、遊技島１１でイベント（例えば呼出）が複数発生したとき、対応するＬＥＤは、その呼出順が１番目、２番目、３番目であると、高速点滅、中速点滅、低速点滅というように、対応する表示色で異なる点滅パターンとなるように設定されている。
【００５７】
こうして、ＬＥＤ報知部３２は、イベントが発生すると、その台番に対応するＬＥＤを点灯、或いは点滅させることで報知状態となり、併せて液晶表示部３１は、表示画面３１ａのヴィジュアル表示領域６３ａにおいて該当する分割領域が上記した表示状態となる。このとき、表示画面３１ａでは、ヴィジュアル表示領域６３ａやイベント内容表示領域６３ｃ（何れも第１表示領域に相当）にて、ＬＥＤ報知部３２の報知を補助（或いは報知内容を補完）するような従業員向けの補助表示が行われると共に、他の表示領域（第２表示領域としての機種名表示画像の表示６０ａ〜６０ｅ領域）では遊技者向けの表示が行われることとなる。
【００５８】
尚、図３（ｅ）は、遊技島１１において何れかの遊技機１に大当りが発生した場合、表示画面３１ａに表示される画像を示している。この画像は、遊技島１１において例えば大当りの累積回数が１０回に達した場合等、所定大当り回数で所定時間表示するようにしても良い。
【００５９】
続いて、上記構成の作用について、一対の島端表示装置７Ｒ，７Ｌを、遊技島１１に対して図２に示すように設置する場合を例に説明する。
まず、上記のように分離（切り離し）可能な液晶表示部３１とＬＥＤ報知部３２とについて、第１取付態様で島端表示装置７Ｒを組付けるものとする。この場合、図５に示すように、液晶表示部３１の右枠５１ｃを、ＬＥＤ報知部３２の回動軸部材３７（同図では省略）に沿わせるようにして位置合せを行い、右枠５１ｃの取付穴４９Ｒａに回動軸部材３７上端の取付アーム３７ａを挿入すると共に、右枠５１ｃの取付穴４９Ｒｂに回動軸部材３７下端の取付アーム３７ｂを挿入する。この挿入状態で、液晶表示部３１の上枠５１ａ及び下枠５１ｂの穴部５５，５５にネジ４０，４０をそれぞれ螺挿することで、取付アーム３７ａ，３７ｂを固定する（図４（ａ）参照）。これにより、ＬＥＤ報知部３２に対し、左側に液晶表示部３１を取付けることで、島端表示装置７Ｒとして組付けることができる。
【００６０】
島端表示装置７Ｒは、図２の遊技島１１の島端に向かって右上の位置で、取付フレーム３５の取付孔３５ａに挿通されるネジ（図示略）により取付け固定される。こうして設置された島端表示装置７Ｒは、液晶表示部３１を回動軸部材３７の周りに回動させることで、図７（ａ）に示す正面位置と図７（ｃ）に示す側面位置との間で液晶表示部３１の向きを変え、或いは島端に対して液晶表示部３１を任意の傾斜角度に調整することができる（図４（ａ）、図７（ｂ）参照）。
【００６１】
これに対し、島端表示装置７Ｌを組付ける場合、図６に示すように、ＬＥＤ報知部３２について、上端の取付アーム３７ａが下端に、下端の取付アーム３７ｂが上端に位置するように、１８０度上下に反転させる。これにより、天地を逆にしたＬＥＤ報知部３２に対し、右側に液晶表示部３１を配置し、その左枠５１ｄを回動軸部材３７（図６では省略）に沿わせるようにして位置合せを行う。こうして、左枠５１ｄの取付穴４９Ｌａに上端となった取付アーム３７ｂを挿入すると共に、左枠５１ｄの取付穴４９Ｌｂに下端となった取付アーム３７ａを挿入する。この挿入状態で、液晶表示部３１の上枠５１ａ及び下枠５１ｂの穴部５５，５５にネジ４０，４０をそれぞれ螺挿することで、取付アーム３７ａ，３７ｂを固定する。こうして、ＬＥＤ報知部３２に対し右側に液晶表示部３１を配置した第２取付態様で、島端表示装置７Ｌとして組付けることができる。
【００６２】
上記した第１取付態様と第２取付態様とでは、図５と図６との対比から明らかなように、液晶表示部３１の上下方向が同一であり、その上枠５１ａが上側のままとなる上下の位置関係が維持される一方、ＬＥＤ報知部３２の上下方向が異なる（つまり前記反転により姿勢が１８０度変更される）。このように構成しても、ＬＥＤ報知部３２の外形は上下対称であり、前記設定手段によりＬＥＤ群への出力を上下に反転させる（従ってＬＥＤの配列を上下反転させたように発光する）報知設定が可能とされている。よって、ＬＥＤ報知部３２では、第１、第２の取付態様如何に関わらず、液晶表示部３１との接合と、遊技機１の並びに対応した報知とを好適に行うことができる。
【００６３】
島端表示装置７Ｌは、図２の遊技島１１の島端に向かって左上の位置で、取付フレーム３５の取付孔３５ａに挿通される前記ネジにより取付け固定される。こうして設置された島端表示装置７Ｌについても、回動軸部材３７の周りに回動させることで、図８（ａ）に示す正面位置と図８（ｃ）に示す側面位置との間で液晶表示部３１の向きを変え、或いは島端に対して液晶表示部３１を任意の傾斜角度に調整することができる（図８（ｂ）参照）。従って、島端表示装置７Ｒ，７Ｌにおいて、視野角の広い（略３６０度）ＬＥＤ報知部３２を固定したまま、視野角の狭い（最大でも１８０度）液晶表示部３１の向きを、その設置環境に応じて調整することができ、双方３１，３２の視認性が良く且つ使い勝手がよいものとすることができる。
【００６４】
このような実施形態によれば、次のような効果を奏することができる。
島端表示装置７Ｒ，７Ｌは、遊技者向けの情報を表示する表示手段を設けた液晶表示部３１と、この表示部３１をＬＥＤ報知部３２に対して回動可能とする回動軸部材３７とを備えるため、液晶表示部３１の表示角度を任意の角度に調整可能となり、汎用性に富む構成となる。この場合、ＬＥＤ報知部３２は取付フレーム３５により遊技島１１に固定的に設置されることから、液晶表示部３１の角度を調整しても従来の所謂代表ランプと同様に固定的な配置となり、従業員がその報知を見逃す虞を低減できる。
【００６５】
液晶表示部３１の第１取付手段（取付穴４９Ｒａ、取付穴４９Ｒｂ等）でＬＥＤ報知部３２へと取付けた第１取付態様と、第２取付手段（取付穴４９Ｌａ、取付穴４９Ｌｂ等）でＬＥＤ報知部３２へと取付けた第２取付態様とで、ＬＥＤ報知部３２と液晶表示部３１との上下方向の関係が異なる（何れか一方を上下に反転させた関係となる）ように構成することで、液晶表示部３１とＬＥＤ報知部３２との配置関係を選択可能とした。これによれば、ＬＥＤ報知部３２と液晶表示部３１との対応関係を異ならせることで、１製品（島端表示装置７Ｒ，７Ｌ）にて遊技島１１の右側の面と左側の面へ対応させることができる。
【００６６】
前記第１取付態様と第２取付態様とで、液晶表示部３１の上下方向が同一である一方、ＬＥＤ報知部３２の上下方向が異なるように構成することで、ＬＥＤ報知部３２に対して液晶表示部３１を右側に配置するのか左側に配置するのかを選択可能とした。これによれば、液晶表示部３１の上下を反転させる必要がないので、その画像の反転処理も行う必要がなく、簡単な構成とすることができる。
【００６７】
回動手段である回動軸部材３７を基礎取付手段（取付フレーム３５）により遊技島１１に取付けられるＬＥＤ報知部３２に設けることで、液晶表示部３１の安定的な回動乃至支持が可能となる。
ＬＥＤ報知部３２が報知状態となった場合に、液晶表示部３１により補助表示を行うため、従来の代表ランプでは点灯や点滅だけでイベントの発生を把握していた従業員が、補助表示により詳細な状態を確認した上でイベントに対応可能となる。また、補助表示を行っていても遊技者向けの表示を行うため、イベントの発生の有無による遊技者の違和感を低減させることができる。
【００６８】
（その他の実施形態）
本発明は、上記実施形態に限定されることなく、次のように変形または拡張したり、各変形例を上記実施形態と組合せたりしてもよい。
報知手段としてＬＥＤを例示したが、例えば電球等を採用する等、どのような報知手段を採用しても良い。同様に表示手段も液晶以外に有機ＥＬやプラズマディスプレイ等、どのような構成を採用しても良い。また、報知手段として液晶等を採用したり、表示手段としてＬＥＤ等を採用しても良い。
【００６９】
報知部における報知は従業員向けの報知が可能であれば、例えば新台情報や遊技情報等の表示を開始する際や表示中等に点滅等を行うことで遊技者向けの報知を行う場合があっても良い。
取付アーム３７ａ，３７ｂを設けることにより報知部と表示部とを接合させたが、報知部と表示部とに取付手段が設けられれば、必ずしも取付アーム３７ａ，３７ｂを報知部に設ける必要はなく、例えば表示部に取付アーム、報知部に取付穴を設けたり、電磁石等により接合する等しても良い。尚、少なくとも一方の取付手段が他方の取付手段に対して複数必要となる。
【００７０】
報知部を上下対称、表示部を上下非対称とすることで違和感なく複数の遊技島１１の面へと対応可能とすることを例示したが、報知部を上下非対称としたり、表示部を上下対称としたりしても、多少の違和感はあるが、汎用性を保つことは可能である。また、表示部における表示を反転させる等、処理が複雑にはなるが、表示部について画像の上下を反転可能とすれば表示部と報知部とを分離可能とする必要なく複数の遊技島１１の面へと対応可能となる。
【００７１】
報知部を上下非対象とする一方、表示部を上下対称として画像を上下反転可能とし、両者の対応関係を変更しても良い。この場合、報知部ではなく表示部の上下を入替えて接合（或いは支持）することになる。即ち、両者の対応関係を変更する場合に、表示部と報知部のいずれの上下を変更しても良い。
【００７２】
報知部に対して表示部の角度を変更可能であれば必ずしも表示手段と報知手段とを分離可能に構成する必要はない。
取付アーム３７ａ，３７ｂを１８０度回動可能として、報知部を上下反転させることなく報知部に対して右側と左側の双方へと回動可能に構成すれば、報知部を上下に反転させる必要がなくなり、この場合も報知部を上下非対称としても違和感がなくなる。この場合、基礎取付手段の配置変更や、報知部と表示部との位置バランスを保つために回動部をスライドさせる構成等が必要になる場合もあるが、必要となる場合には適宜、構成を付け加えれば良い。
【００７３】
また、遊技者等の悪戯や外観等を考慮して、取付穴４９Ｒａ〜４９Ｌｂ等の取付穴のうち、取付アーム３７ａ，３７ｂが挿入されない取付穴について、目隠し用の蓋等を用いても良い。
報知部と表示部との上下の長さを略同一としたが、一方を他方よりも長くしたり短くしても良いし、例えば報知部を複数に分割する等して、１つの表示部に対して複数の報知部を設けて１製品とする構成としても良い。
【００７４】
対象となる遊技機として、例示した以外のパチンコ遊技機やスロットマシン等を対象としても良い。スロットマシンの場合、遊技価値はメダルとなり、スタートはゲームとなる。また、遊技媒体を用いない、点数による遊技を可能とする所謂封入式やクレジット式を対象としても良く、これらを考慮し、遊技媒体と点数とを包含する遊技価値と表現する場合がある。
【００７５】
遊技機のスペックや設定値等、例示した全ての数値、項目等は例示であり、どのような数値を採用しても良い。勿論、その他の遊技情報も、直接的、間接的を問わず適宜最適な特定方法にて特定すれば良い。更に、中継装置４や表示装置３等にて行う等、各種情報処理はどのように分担しても良い。また、例示した構成は変形例を含めどのように組み合わせても良いし、適宜、行わなくても良い。
【符号の説明】
【００７６】
図面中、１は遊技機、７，７Ｒ，７Ｌは島端表示装置（遊技場用表示装置）、３１ａは表示手段、３１は表示部、３１ａは表示手段、３２は報知部、３５は基礎取付手段、４９Ｒａ，４９Ｒｂは表示部取付手段（第１取付手段）、４９Ｌａ，４９Ｌｂは表示部取付手段（第２取付手段）、４０，５５は表示部取付手段（第１、第２取付手段）である。
【図１】
2015208530.tif 000003
【図２】
2015208530.tif 000004
【図３】
2015208530.tif 000005
【図４】
2015208530.tif 000006
【図５】
2015208530.tif 000007
【図６】
2015208530.tif 000008
【図７】
2015208530.tif 000009
【図８】
2015208530.tif 000010